(57)【要約】【課題】器具本体を取付部に取り付けるねじが緩んでも器具本体が取付部から外れにくい照明器具を提供する。【解決手段】器具本体２は、前後方向（下方向と交差する方向）に張り出す鍔部２１を有する。第１固定部３は、下方向と交差する第１面３１を有し、かつ鍔部２１の上方に配置される。第２固定部４は、下方向と交差する第２面４１を有し、かつ第２面４１が鍔部２１の下面２１２に接する。取付部６には、第１固定部３（第１固定部３及び第２固定部４のうちいずれか一方）が設けられる。ねじ５は、第１固定部３における第１面３１と反対側にねじ頭５１が配置されるように貫通孔３３に通されてねじ孔４３にねじ込まれる。器具本体２は、第１固定部３の第１面３１が鍔部２１の上面２１１に接した状態で取付部６に取り付けられている。【選択図】図５
2017073278.tif 000002
【特許請求の範囲】
【請求項１】
光源からの光が下方向を向くように前記光源が取り付けられ、かつ前記下方向と交差する方向に張り出す鍔部を有する器具本体と、
前記下方向と交差する第１面を有し、かつ前記鍔部の上方に配置された第１固定部と、
前記下方向と交差する第２面を有し、かつ前記第２面が前記鍔部の下面に接する第２固定部と、
前記第１固定部を前記下方向に貫く貫通孔に通され、かつ前記第２固定部を前記下方向に貫くねじ孔にねじ込まれたねじと、
前記器具本体を支柱に取り付ける取付部と、
を備え、
前記取付部には、前記第１固定部及び前記第２固定部のうちいずれか一方が設けられ、
前記ねじは、前記第１固定部における前記第１面と反対側にねじ頭が配置されるように前記貫通孔に通され、
前記器具本体は、前記第１固定部の前記第１面が前記鍔部の上面に接した状態で前記取付部に取り付けられている
ことを特徴とする照明器具。
【請求項２】
前記取付部は、前記器具本体の上方に配置され、
前記第１固定部は、前記取付部に設けられ、
前記第２固定部は、前記第２面を有する板状の支持部材に設けられた
ことを特徴とする請求項１に記載の照明器具。
【請求項３】
前記支持部材は、前記鍔部の張り出す方向と前記下方向とに交差する方向の寸法が前記鍔部よりも大きくなるように形成され、
前記支持部材において、前記鍔部の張り出す方向と前記下方向とに交差する方向の両端には、それぞれ前記下方向と反対の上方向に張り出す突出部が設けられた
ことを特徴とする請求項２に記載の照明器具。
【請求項４】
前記第１固定部は、前記第１面を有する板状の支持部材に設けられ、
前記第２固定部は、前記取付部に設けられた
ことを特徴とする請求項１に記載の照明器具。
【請求項５】
前記支持部材は、前記鍔部の張り出す方向と前記下方向とに交差する方向の寸法が前記鍔部よりも大きくなるように形成され、
前記支持部材において、前記鍔部の張り出す方向と前記下方向とに交差する方向の両端には、それぞれ前記下方向に張り出す突出部が設けられた
ことを特徴とする請求項４に記載の照明器具。
【発明の詳細な説明】
【技術分野】
【０００１】
本発明は、ねじ止めされる灯具を有する照明器具に関する。
【背景技術】
【０００２】
従来、器具本体と、光源ブロックと、取付板とを備えた照明器具が知られている（例えば特許文献１参照）。光源ブロックは、金属製の取付板の下面にねじ止めして取り付けられる。
【先行技術文献】
【特許文献】
【０００３】
【特許文献１】特開２０１５−１１８８１号公報
【発明の概要】
【発明が解決しようとする課題】
【０００４】
特許文献１では、光源ブロック（器具本体）を取付板（取付部）に取り付けているねじが緩むと、光源ブロックが取付板から外れる可能性があった。
【０００５】
本発明は上記課題に鑑みてなされ、器具本体を取付部に取り付けるねじが緩んでも器具本体が取付部から外れにくい照明器具を提供することを目的とする。
【課題を解決するための手段】
【０００６】
本発明の照明器具は、光源からの光が下方向を向くように前記光源が取り付けられ、かつ前記下方向と交差する方向に張り出す鍔部を有する器具本体と、前記下方向と交差する第１面を有し、かつ前記鍔部の上方に配置された第１固定部と、前記下方向と交差する第２面を有し、かつ前記第２面が前記鍔部の下面に接する第２固定部と、前記第１固定部を前記下方向に貫く貫通孔に通され、かつ前記第２固定部を前記下方向に貫くねじ孔にねじ込まれたねじと、前記器具本体を支柱に取り付ける取付部と、を備え、前記取付部には、前記第１固定部及び前記第２固定部のうちいずれか一方が設けられ、前記ねじは、前記第１固定部における前記第１面と反対側にねじ頭が配置されるように前記貫通孔に通され、前記器具本体は、前記第１固定部の前記第１面が前記鍔部の上面に接した状態で前記取付部に取り付けられていることを特徴とする。
【発明の効果】
【０００７】
本発明によれば、器具本体を取付部に取り付けるねじが緩んでも器具本体が取付部から外れにくい照明器具を提供できる。
【図面の簡単な説明】
【０００８】
【図１】実施形態１に係る照明器具の斜視図である。
【図２】実施形態１に係る照明器具の断面斜視図である。
【図３】実施形態１に係る照明器具の要部を右斜め後方から見た斜視図である。
【図４】実施形態１に係る照明器具の別の要部を右斜め後方から見た斜視図である。
【図５】実施形態１に係る要部断面図である。
【図６】実施形態１に係る別の要部断面図である。
【図７】実施形態２に係る照明器具の斜視図である。
【図８】実施形態２に係る照明器具の要部の斜視図である。
【図９】実施形態２に係る照明器具の別の要部の斜視図である。
【図１０】実施形態２に係る要部断面図である。
【図１１】実施形態２に係る別の要部断面図である。
【発明を実施するための形態】
【０００９】
（実施形態１）
以下、本実施形態の照明器具１について図１〜図６に基づいて説明する。以下の説明では、図１に示す「下」を指す矢印の向きを下方向と規定して説明する。下方向と直交する方向であって、かつ器具本体２と支柱１１とが並ぶ方向のうち、支柱１１から器具本体２に向かう方向を前方向と規定して説明する。前方向及び下方向と直交する方向を左右方向と規定する。例えば、右方向から支柱１１と器具本体２とを見た場合、支柱１１が右側に見え、かつ器具本体２が左側に見える。
【００１０】
照明器具１は、図１、図２及び図５に示すように、器具本体２と、第１固定部３と、第２固定部４と、ねじ５と、取付部６と、を備える。器具本体２には、光源１００が取り付けられている。
【００１１】
器具本体２は、例えば道路脇及び公園などの屋外に設置された支柱１１、又は商業施設などの屋内に設置された支柱１１に取り付けられる。取付部６は、器具本体２を支柱１１に取り付ける。
【００１２】
以下、照明器具１の詳細な構成について説明する。
【００１３】
器具本体２は、アルミニウム板をプレス加工して形成されている。器具本体２は、下方向に開口し、かつ上方に窪んだ凹部２０２を有する。凹部２０２の底板には、光源１００が取り付けられている。器具本体２の開口部分は、平板状のカバー２０１で覆われている。
【００１４】
器具本体２の開口部の外周の全周に鍔部２１が設けられている。鍔部２１は、下方向と交差し、かつ光源１００から遠ざかる方向に張り出している。より詳細には、鍔部２１は、器具本体２の前後左右の４つの縁に設けられている。以下、前方の縁に設けられた鍔部２１と、後方の縁に設けられた鍔部２１とを区別する場合には、器具本体２における前方の鍔部２１を鍔部２１ａと呼び、器具本体２における後方の鍔部２１を鍔部２１ｂと呼ぶ。なお、鍔部２１ｂは鍔部２１ａと同様の構成であるため、鍔部２１ｂの説明を省略する。
【００１５】
器具本体２の開口部の内周の縁には、溝４４（図５参照）が設けられている。溝４４は、器具本体２の開口部の内周全周に設けられている。溝４４の上下方向の寸法は、板状のカバー２０１の厚さ寸法よりわずかに大きい。溝４４には、カバー２０１の縁部が挿入されている。カバー２０１は溝４４に挿入された状態で器具本体２に取り付けられている。カバー２０１は透光性材料からなる。カバー２０１は凹部２０２内に埃などが侵入することを抑制する。
【００１６】
取付部６は、アルミダイカストで形成されている。取付部６は、図２に示すように、第１固定部３と、張出部６１と、張出部６２と、収納部６３と、固定部６０４とを有する。
【００１７】
収納部６３は、上方に開口する箱状に形成されている。収納部６３の左右方向の寸法は、器具本体２の左右方向の寸法よりも小さい。収納部６３の収納凹部６０１には、光源１００を点灯させる駆動部６０３が収納されている。駆動部６０３は、駆動回路と制御回路とを有する。駆動回路は、一例として、支柱１１内を通された電源ケーブルにより外部から供給される交流電力を直流電力に変換して基板１０１上のＬＥＤに電力を供給する。制御回路は、一例として、駆動回路からＬＥＤに供給させる電流の大きさを制御し、かつ駆動回路の動作をオンオフ制御する。制御回路は、一例として、リアルタイムクロックの値及び外部からの入力信号などに応じて駆動回路を制御する。収納部６３の開口部分は、蓋６０２で覆われている。蓋６０２は、収納部６３の後方に設けられたヒンジで開閉可能となるように収納部６３に取り付けられている。
【００１８】
収納部６３の前側の外側面には、張出部６１が設けられている。張出部６１は、収納部６３の底板の底面と面一な底面を有するように形成されている。張出部６１の左右方向の寸法は、収納部６３の左右方向の寸法とほぼ同じ寸法である。そのため、器具本体２と張出部６１とを左右方向の中央にそろえた場合、張出部６１の左右両側から器具本体２の左右両側の部位がそれぞれ張り出した状態となっている。
【００１９】
張出部６１の前方の縁には、図３に示すように、板状の張出部６２が形成されている。張出部６２の下面は、器具本体２の外側面に沿うように形成されている。より詳細には、張出部６２は、張出部６１の前方の縁から斜め下方向に向かって張り出している。張出部６１における下方向に沿う張り出し寸法は、器具本体２の天板（凹部２０２の底板）の上面から鍔部２１の上面２１１までの高さ寸法（下方向に沿う寸法）とほぼ同じである。張出部６２の前方の縁には、第１固定部３ａが設けられている。
【００２０】
第１固定部３ａは、板状に形成されている。第１固定部３ａの下面のことを第１面３１と呼ぶ。第１固定部３ａは、第１面３１が下方向と交差する面となるように設けられている。第１固定部３ａの左右方向の寸法は、前後方向の寸法（張出寸法）よりも大きい。第１固定部３ａにおける左右方向の寸法は、鍔部２１における左右方向の寸法よりもわずかに大きい。第１面３１が器具本体２の鍔部２１における上面２１１と平行する。第１固定部３ａは、第１面３１で上面２１１に接する。第１固定部３ａには、図３に示すように、下方向に貫通する貫通孔３３が２つ設けられている。２つの貫通孔３３は、左右方向に並べても設けられている。貫通孔３３の内径は、ねじ５のねじ部５２の外径よりも大きい。
【００２１】
第１固定部３ａの前方の縁には、下方向に張り出す張出部３０１が形成されている。張出部３０１の下方向の寸法は、鍔部２１の上面２１１から下面２１２までの寸法（厚さ寸法）とほぼ同じである。
【００２２】
収納部６３（図１及び図２参照）の底板における固定部６０４付近には、下方向に張り出す張出部６４が設けられている。張出部６４は、収納部６３と一体に形成されている。張出部６４は、上面に開口する箱状に形成されており、開口部分は収納部６３の内部空間とつながっている。張出部６４における下方向への張り出し寸法は、器具本体２の天板（凹部２０２の底板）の上面から鍔部２１の上面２１１までの高さ寸法とほぼ同じである。張出部６４の底板は、下方向と交差する面（第１面）を有し、かつ鍔部２１ｂの上方に配置されている。より詳細には、張出部６４の底板の下面は、第１面３１と平行する面である。
【００２３】
以下、張出部６４の底板のことを「第１固定部３ｂ」と呼ぶ。第１固定部３ｂには、上下方向に貫通する貫通孔が、左右方向に並べて設けられている。２つの貫通孔にはそれぞれねじ５が通される。なお、第１固定部３ａと第１固定部３ｂとを区別しない場合には、第１固定部３ａと第１固定部３ｂとを「第１固定部３」と呼ぶ。
【００２４】
収納部６３の後方の外側面には、固定部６０４が設けられている。固定部６０４は、下方向に開口している凹部を有している。固定部６０４は左右方向に貫通する貫通孔が設けられている。その凹部には、左右方向に貫通する貫通孔を有する固定部１１１が配置されている。固定部６０４及び固定部１１１の貫通孔は、同軸となるように配置され、その貫通孔にはボルト１１３が通されている。固定部６０４は、締めこまれたボルト１１３によって固定部１１１に押し付けられて、固定部１１１にとりつけられている。固定部１１１は下方向に開口している凹部を有している。その凹部には支柱１１が挿入されている。固定部１１１の後方の周壁には、ボルト１１２を通す貫通孔が形成されている。固定部１１１と支柱１１とは、ボルト１１２によって固定されている。
【００２５】
ねじ５は、図５に示すように、ねじ頭５１と、ねじ部５２とを有する。ねじ５は、ねじ部５２がワッシャ５０１に通された状態で、貫通孔３３に通される。ねじ部５２の長さは、第１固定部３の厚さ寸法と、鍔部２１の厚さ寸法と、第２固定部４の厚さ寸法と、ワッシャ５０１の厚さ寸法とを合計した値よりも大きい。
【００２６】
支持部材７は、鍔部２１の下面２１２に接して器具本体２を取付部６に取り付ける。支持部材７は、ＳＵＳ（Steel Special Use Stainless）からなる。支持部材７には、図４に示すように、第２固定部４と、ねじ孔４３と、突出部７２とが設けられている。第２固定部４は、下方向と交差する面を有する平板状に形成されている。より詳細には、第２固定部４の上面は下方向と交差する。以下、第２固定部４の上面のことを「第２面４１」と呼ぶ。第２面４１は鍔部２１の下面２１２と平行する面である。第２面４１は、鍔部２１の下面２１２に接する。
【００２７】
ねじ孔４３は、上下方向（第２固定部４の厚さ方向）に貫通するように設けられる。ねじ孔４３は左右方向に沿って２つ設けられている。２つのねじ孔４３の位置はそれぞれ、第１固定部３に設けられた２つの貫通孔３３に対応する。２つのねじ孔４３にはそれぞれ、ねじ部５２に対応するめねじが形成されている。
【００２８】
支持部材７の左右方向における両端にはそれぞれ、上方向に張り出す突出部７２が設けられている。本実施形態の突出部７２はそれぞれ、支持部材７と一体に設けられていて、折り曲げ形成されている。突出部７２は、上下方向の寸法が曲部７０１の上下方向の寸法よりも小さい矩形板状になっている。突出部７２の前後方向の寸法は、第１固定部３の前後方向の寸法よりも大きい。
【００２９】
支持部材７の左右方向の寸法Ｗ７（図１参照）は、器具本体２の左右方向の寸法よりもわずかに大きい。より詳細には、寸法Ｗ７は、右の突出部７２の右側面から、左の突出部７２の左側面までの寸法である。つまり寸法Ｗ７は、器具本体２の左右方向の寸法と２つの突出部７２の厚さ寸法とを合わせた値以上の寸法である。第１固定部３の左右方向の寸法は、鍔部２１の左右方向の寸法よりもわずかに大きいので、２つの突出部７２における左右方向の内向きの側面と、鍔部２１の左右方向の外向きの側面との間には、わずかに隙間が空いている。
【００３０】
２つの突出部７２はそれぞれ、左右方向から見て鍔部２１と重なる。
【００３１】
支持部材７の前方の縁には、２つの曲部７０１と、曲部７０２と、２つの曲部７０３とが設けられている。曲部７０１と、曲部７０２と、曲部７０３とはそれぞれ、支持部材７と一体に設けられていて、折り曲げ形成されている。
【００３２】
２つの曲部７０１と、曲部７０２とは、支持部材７の第２面４１よりも上方向に張り出すように設けられている。曲部７０２は、２つのねじ孔４３の間に設けられている。曲部７０２の先端には、第２面４１と平行する天板７０５が設けられている。天板７０５は、曲部７０２の先端部分を折り曲げて形成されている。
【００３３】
２つの曲部７０１はそれぞれ、ねじ孔４３に対して曲部７０２と反対側に設けられている。２つの曲部７０１の先端には、それぞれ第２面４１と平行する天板７０４が設けられている。２つの天板７０４は、それぞれ曲部７０２の先端部分を折り曲げて形成されている。したがって、２つの曲部７０１及び曲部７０２の右側面視の形状はＵ字状になっている。
【００３４】
２つの曲部７０３はそれぞれ、曲部７０１と曲部７０２との間における縁から第２面４１よりも下方向に張り出すように設けられている。２つの曲部７０３の先端はそれぞれ、第２面４１と平行するようにＵ字形状に折り曲げられている。
【００３５】
光源１００は、複数のＬＥＤ（Light Emitting Diode）が実装されている基板１０１と、それぞれのＬＥＤの表面を覆う複数のレンズ１０２とを有する。基板１０１は、ＬＥＤの実装されている面が下方向を向くように器具本体２に取り付けられる。ＬＥＤはそれぞれ、上下方向及び左右方向にそれぞれ等距離となるように基板１０１上に実装されている。レンズ１０２はそれぞれ、各ＬＥＤにおいて下方向を向く部位を覆うように設けられている。レンズ１０２はそれぞれ、ＬＥＤの配光特性を調整するために設けられている。なお、図２ではわかりやすくするための複数のレンズ１０２のうち一部のレンズ１０２にのみ符号を付している。
【００３６】
器具本体２を取付部６に取り付ける構造の詳細について図５を参照して説明する。
【００３７】
器具本体２の凹部２０２の上面が張出部６１の下方に位置するように、器具本体２が取付部６の下側に配置される。支持部材７は、鍔部２１の下面２１２よりも下側に配置される。２つのねじ５はそれぞれ、２つの貫通孔３３に上から下に通される。ワッシャ５０１及び貫通孔３３を通されたねじ部５２は、さらにねじ孔４３にねじ込まれる。ねじ部５２がねじ孔４３にねじ込まれるにつれて、支持部材７の第２固定部４が上方に移動する。ねじ５は、第１固定部３の第１面３１が鍔部２１の上面２１１に接し、かつ第２固定部４の第２面４１が鍔部２１の下面２１２する位置までがねじ込まれる。鍔部２１は、第１固定部３と第２固定部４とに挟まれた状態で取付部６に取り付けられる。張出部３０１は、ねじ５がねじ孔４３にねじ込まれた際に第１固定部３が撓むことを抑制する。
【００３８】
２つの突出部７２はそれぞれ、左右方向から見て鍔部２１と重なるように支持部材７に設けられている。器具本体２が支持部材７に対して左右方向にずれた際に、鍔部２１の左右方向の外側の側面に一方の突出部７２が接する。２つの突出部７２は、器具本体２が左右方向にずれて支持部材７から外れることを抑制する。
【００３９】
２つの曲部７０１及び曲部７０２は、鍔部２１における前方向の側面の一部を覆う。一例として、取付部６の表面の色と鍔部２１の色とが異なる場合であっても、支持部材７ａの前方向から見て２つの曲部７０１及び曲部７０２によって鍔部２１ａが覆われるので、第１固定部３ａと鍔部２１ａとの継ぎ目が目立たず、見た目をよくすることができる。また、２つの曲部７０３は、第２固定部４の下面から下方向に突き出たねじ部５２の前方を覆うので、前方から見て第２固定部４の下面から突き出たねじ部５２が目立たず、見た目をよくすることができる。支持部材７ｂに設けられた曲部７０１と、曲部７０２とについても、後方から見て、第１固定部３ｂ及び第１固定部３ｂの貫通孔を通されたねじ５に対して上記と同様の効果があり、見た目をよくすることができる。
【００４０】
次に、ねじ５が緩んだ状態の取付部６と器具本体２とについて図６を参照して説明する。
【００４１】
器具本体２を取付部６に取り付けた後に、長期間（例えば数年）が経過すると、ねじ５が緩む場合が考えられる。ねじ５が緩むと、第１固定部３の第１面３１と鍔部２１の上面２１１が離れる。第１面３１と上面２１１との間隔Ｄ１は、ねじ５が緩むにつれて大きくなる。より詳細には、ねじ５が緩むと、第２固定部４の上面からねじ頭５１までの間隔が大きくなる。第２固定部４及びねじ５は、重力により下方向に力を受けているので、第１固定部３の上面に対するねじ頭５１の位置は変化しない。その結果、第２固定部４の第２面４１と下面２１２で接する鍔部２１とは、ねじ５が締まった状態に比べて下方向に位置する。ねじ５が緩んだ状態であっても、鍔部２１と第２固定部４とは接した状態が維持される。より詳細には、鍔部２１は重力により下向きの力を受けていて、第２固定部４はねじ５によって第１固定部３から吊り下げられた状態となっているので、鍔部２１は第２固定部４に下側から支持されている。そのため、ねじ５のねじ部５２がねじ孔４３にねじ込まれた状態でねじ５が緩んでも、器具本体２が取付部６から外れることが抑制される。
【００４２】
また、ねじ５が緩んで第１固定部３と鍔部２１とが離れた場合でも、第１固定部３の上面が支持部材７の天板７０５及び２つの天板７０４に接することにより、間隔Ｄ１が大きくなり続けることが抑制される。言い換えると、第１固定部３の上面が天板７０５及び２つの天板７０４に接する位置までねじ５が緩んだ際に、鍔部２１は、支持部材７によって第１固定部３に支持されている。したがって、器具本体２は取付部６から外れにくくなる。
【００４３】
さらに、ねじ５が緩んだ状態でも、鍔部２１と第２固定部４とは接した状態が維持されている場合、２つの突出部７２が、器具本体２の左右方向への移動を抑制する。そのため、ねじ５のねじ部５２がねじ孔４３にねじ込まれた状態でねじ５が緩んでも、器具本体２が左右方向に移動して取付部６から外れることが抑制される。
【００４４】
以上説明したように、本実施形態の照明器具１は、器具本体２と、第１固定部３と、第２固定部４と、ねじ５と、取付部６と、を備える。器具本体２は、光源１００からの光が下方向を向くように光源１００が取り付けられ、かつ下方向と交差する方向（本実施形態では前後方向）に張り出す鍔部２１を有する。第１固定部３は、下方向と交差する第１面３１を有し、かつ鍔部２１の上方に配置される。第２固定部４は、下方向と交差する第２面４１を有し、かつ第２面４１が鍔部２１の下面２１２に接する。ねじ５は、第１固定部３を下方向に貫く貫通孔３３に通され、かつ第２固定部４を下方向に貫くねじ孔４３にねじ込まれる。取付部６は、器具本体２を支柱１１に取り付ける。取付部６には、第１固定部３及び第２固定部４のうちいずれか一方（本実施形態では第１固定部３）が設けられる。ねじ５は、第１固定部３における第１面３１と反対側にねじ頭５１が配置されるように貫通孔３３に通される。器具本体２は、第１固定部３の第１面３１が鍔部２１の上面２１１に接した状態で取付部６に取り付けられている。
【００４５】
上記構成によれば、ねじ５がねじ孔４３にねじ込まれた状態でねじ５が緩んでも、鍔部２１の下面２１２と第２固定部４の第２面４１とが接し、かつ鍔部２１が第２固定部４によって下から支持される。そのため、ねじ５がねじ孔４３にねじ込まれた状態でねじ５が緩んでも、器具本体２が取付部６から外れにくくなる。言い換えると、器具本体２を取付部６に取り付けるねじ５が緩んでも器具本体２が取付部６から外れにくい照明器具１を実現できる。
【００４６】
本実施形態の照明器具１において、取付部６は、器具本体２の上方に配置され、第１固定部３は、取付部６に設けられ、第２固定部４は、第２面４１を有する板状の支持部材７に設けられたことが好ましい。
【００４７】
上記構成によれば、器具本体２の上側に配置された器具本体２に第１固定部３を設け、器具本体２の下側に支持部材７を配置することで、上から下に向かって第１固定部３、鍔部２１、第２固定部４の順に配置することができる。そのため、第１固定部３及び第２固定部４はそれぞれ、少なくとも平板状に形成されているだけでねじ５によって鍔部２１を第１固定部３と第２固定部４とで挟むことができる。すなわち、平板状の第１固定部３及び第２固定部４を形成しやすい。
【００４８】
本実施形態の照明器具１において、支持部材７は、鍔部２１の張り出す方向と下方向とに交差する方向（本実施形態では左右方向）の寸法Ｗ７が鍔部２１よりも大きくなるように形成される。支持部材７において、鍔部２１の張り出す方向と下方向とに交差する方向（本実施形態では左右方向）の両端には、それぞれ下方向と反対の上方向に張り出す突出部７２が設けられたことが好ましい。
【００４９】
上記構成によれば、鍔部２１と第２固定部４とは接した状態で、２つの突出部７２が器具本体２の支持部材７に対する左右方向（鍔部２１の張り出す方向と下方向とに交差する方向）への移動を抑制する。そのため、器具本体２が左右方向（鍔部２１の張り出す方向と下方向とに交差する方向）に移動して取付部６から外れることが抑制される。
【００５０】
なお、本実施形態では２つの鍔部２１が、凹部２０２の前後方向の縁にそれぞれ形成されているが、この構成に限定されず、４辺のうち少なくとも１辺の縁に鍔部２１が設けられていればよい。その場合、鍔部２１が設けられた縁と平行する反対側の縁は、適宜の方法で取付部６に取り付けられていればよい。
【００５１】
本実施形態の溝４４は、凹部２０２において鍔部２１と反対側に設けられていて、鍔部２１の内側部分に溝４４が形成されている。なお、鍔部２１と溝４４とは個別に凹部２０２に形成されていてもよい。
【００５２】
張出部３０１とワッシャ５０１とはそれぞれ、必須の構成ではなく、省略可能である。
【００５３】
光源１００はＬＥＤを有することに限定されず、蛍光灯及びハロゲンランプなどでもよい。
【００５４】
支持部材７の材料一例であり、金属材料の他にも樹脂材料やセラミック材料などでもよい。
【００５５】
突出部７２は、支持部材７の両端部分を上方向に折り曲げて形成されることに限定されず、他の部材を支持部材７に溶接するなどして設けてもよい。
【００５６】
２つの突出部７２における左右方向の内向きの側面と、鍔部２１における左右方向の外向きの側面との間に隙間が空いていることに限定されず、突出部７２と鍔部２１とが接していてもよい。
【００５７】
第２固定部４は、ねじ孔４３に代えて、例えばナットを有していてもよい。ナットは、第２固定部４の下面に接するように配置され、ねじ５のねじ部５２がそのナットにねじ込まれる。第１固定部３と鍔部２１と第２固定部４とは、ねじ５のねじ頭５１とそのナットとによって挟まれる。
【００５８】
なお、曲部７０１と、曲部７０２と、曲部７０３とはそれぞれ必須の構成ではなく、省略可能である。
【００５９】
（実施形態２）
本実施形態における照明器具１０について図７〜図１１を参照して説明する。なお、照明器具１０の一部は、実施形態１と同様の構成を有しており、実施形態１と同様の構成については同一の符号を付して説明を省略する。
【００６０】
照明器具１０は、図７に示すように、器具本体２と、第１固定部３０と、第２固定部４０と、ねじ５と、取付部６０と、を備える。実施形態１では、第１固定部３が取付部６に設けられ、かつ第２固定部４が支持部材７に設けられているのに対し、本実施形態では逆に、第２固定部４０が取付部６０に設けられ、かつ第１固定部３０が支持部材７０に設けられている。
【００６１】
取付部６０には、図７及び図８に示すように、実施形態１における取付部６の第１固定部３に代えて、天板６２１と、側板６２２と、第２固定部４０とが設けられている。取付部６０における張出部６２の前方の縁には、天板６２１が設けられている。
【００６２】
天板６２１は、板状に形成されている。天板６２１の下面は、鍔部２１の下面２１２とほぼ平行する。天板６２１の左右方向の寸法は、ほぼ張出部６２の左右方向の寸法と同じである。天板６２１には、前方への張り出し寸法が小さくなるような凹部６２３が２つ形成されている。２つの凹部６２３はそれぞれ、２つのねじ５と同軸であって、かつねじ５のねじ頭５１よりも大きい直径の半円の円弧状となるように形成されている。
【００６３】
天板６２１の前方の縁には、下方向に張り出す側板６２２が設けられている。本実施形態の側板６２２は、天板６２１の一部を折り曲げることで形成されている。側板６２２には、２つの開口部６２４が形成されている。２つの開口部６２４はそれぞれ、側板６２２を前後方向に貫通し、かつ２つの凹部６２３とつながるように形成されている。したがって、２つの開口部６２４における左右方向の寸法は、ねじ５のねじ頭５１の直径よりも大きい。２つの開口部６２４の左右方向における外側の天板６２１の前方の縁には、下方向に張り出す側板６２５がそれぞれ設けられている。それぞれの側板６２５における左右方向の寸法は、側板６２２の左右方向の寸法よりも小さい。より詳細には、２つの側板６２５と、２つの開口部６２４と、側板６２２との、それぞれの左右方向の寸法の合計値が、張出部６２の左右方向の幅寸法と同じである。
【００６４】
側板６２２の下方の縁には、第２固定部４０が設けられている。第２固定部４０は、板状に形成されている。第２固定部４０の左右方向の寸法は、張出部６２とほぼ同じである。第２固定部４０の上面は、鍔部２１の下面２１２と平行する面である。以下、第２固定部４０の上面のことを「第２面４１０」と呼ぶ。第２固定部４０は、第２面４１０で鍔部２１の下面２１２に接する。本実施形態の第２固定部４０は、側板６２２及び２つの側板６２５と一体に設けられている。
【００６５】
第２固定部４０は、側板６２２から後方に張り出している。言い換えると、第２固定部４０は、天板６２１の下方に配置されている。したがって、天板６２１と、側板６２２と、第２固定部４０とを側面から見ると、Ｕ字形状となる。第２固定部４０の前後方向の寸法は、天板６２１の前後方向の寸法よりも大きい。
【００６６】
第２固定部４０には、第２固定部４０を下方向に貫くねじ孔４３０が２つ設けられている。ねじ孔４３０は、上下方向（第２固定部４０の厚さ方向）に貫通するように設けられる。ねじ孔４３０は左右方向に沿って２つ設けられている。２つのねじ孔４３０の位置はそれぞれ、２つのねじ５に対応する。２つのねじ孔４３０にはそれぞれ、ねじ部５２に対応するめねじが形成されている。
【００６７】
支持部材７０は、ＳＵＳからなる。支持部材７０には、図９に示すように、第１固定部３０と、貫通孔３３０と、突出部７２０とが設けられている。支持部材７０は、鍔部２１の上面２１１（図１０参照）に接して器具本体２を取付部６０に取り付ける。
【００６８】
支持部材７０の左右方向における両端にはそれぞれ、下方向に張り出す突出部７２０が設けられている。本実施形態の突出部７２０はそれぞれ、支持部材７０と一体に設けられていて、折り曲げ形成されている。突出部７２０は、上下方向の寸法が曲部７１１の上下方向の寸法よりも小さい矩形板状になっている。
【００６９】
支持部材７０の左右方向の寸法Ｗ７０は、器具本体２の左右方向の寸法よりもわずかに大きい。より詳細には、寸法Ｗ７０は、右の突出部７２０の右側面から、左の突出部７２０の左側面までの寸法である。つまり寸法Ｗ７０は、器具本体２の左右方向の寸法と２つの突出部７２０の厚さ寸法とを合わせた値以上の寸法である。第１固定部３０の左右方向の寸法は、鍔部２１の左右方向の寸法よりもわずかに大きいので、２つの突出部７２０における左右方向の内向きの側面と、鍔部２１の左右方向の外向きの側面との間には、わずかに隙間が空いている。２つの突出部７２０はそれぞれ、左右方向から見て鍔部２１と重なる。
【００７０】
第１固定部３０は、鍔部２１の上面２１１と平行する第１面３１０を有し、かつ鍔部２１の上方に配置される。第１固定部３０は、板状に形成されている。第１固定部３０の下面のことを第１面３１０と呼ぶ。第１固定部３０は、第１面３１０が下方向と交差する面となるように設けられている。第１固定部３０の左右方向の寸法は、前後方向の寸法（張出寸法）よりも大きい。第１面３１０が器具本体２の鍔部２１における上面２１１と平行する。第１固定部３０は、第１面３１０で上面２１１に接する。第１固定部３０には、下方向に貫通する貫通孔３３０が２つ設けられている。２つの貫通孔３３０は、左右方向に並べて設けられている。貫通孔３３０の内径は、ねじ５のねじ部５２の外径よりも大きい。
【００７１】
本実施形態の支持部材７０の前方の縁には、２つの曲部７１１と、２つの曲部７１２とが設けられている。２つの曲部７１２はそれぞれ、２つの貫通孔３３０の前方に設けられている。それぞれの曲部７１２における左右方向の寸法は、それぞれの開口部６２４の左右方向の寸法より小さい。それぞれの曲部７１２における下方向への張り出し寸法は、ねじ５のねじ部５２の張り出し寸法とほぼ同じである。
【００７２】
２つの曲部７１１はそれぞれ、左右方向における２つの曲部７１２の外側に設けられている。それぞれの曲部７１１とその隣の曲部７１２との間には、取付部６０に設けられた開口部６２４（図８参照）の左右方向の寸法よりも大きい。それぞれの曲部７１１の下方向への張り出し寸法は、曲部７１２の下方向への張り出し寸法よりも小さい。それぞれの曲部７１１の下方の縁は、後方に向かって張り出すように曲げ加工されている。曲部７１１の下方の縁における後方への張り出し寸法は、天板６２１の前後方向の寸法よりも大きい。それぞれの曲部７１２の下方の縁は、後方に向かって張り出すように曲げ加工されている。
【００７３】
２つの曲部７１１と、２つの曲部７１２との先端はそれぞれ、第１面３１０と平行するように後方に張り出すように折り曲げられている。第１固定部３０と２つの曲部７１１との右側面視の形状、及び第１固定部３０と曲部７１２との右側面視の形状はそれぞれ、Ｕ字状になっている。
【００７４】
ねじ５は、図１０に示すように、第１固定部３０を下方向に貫く貫通孔３３０に通され、かつ第２固定部４０を下方向に貫くねじ孔４３０にねじ込まれる。ねじ５は、第１固定部３０における第１面３１０と反対側にねじ頭５１が配置されるように貫通孔３３０に通される。器具本体２は、第１固定部３０の第１面３１０が鍔部２１の上面２１１に接した状態で取付部６０に取り付けられている。
【００７５】
器具本体２を取付部６０に取り付ける構造の詳細について図１０を参照して説明する。
【００７６】
取付部６０の第２固定部４０の上方に支持部材７０の第１固定部３０を配置する。より詳細には、２つの曲部７１２を、２つの開口部６２４に後方から前方に向けて通す。支持部材７０を上方に向けて持ち上げると、第１固定部３０と第２固定部４０との間隔が広がる。第１固定部３０と第２固定部４０との間隔が広がっている状態で、器具本体２を張出部６２の下側に配置する。より詳細には、鍔部２１を第１固定部３０と第２固定部４０との間に配置する。
【００７７】
２つのねじ５はそれぞれ、２つの貫通孔３３０に上から下に通される。ワッシャ５０１及び貫通孔３３０を通されたねじ部５２は、さらにねじ孔４３０にねじ込まれる。ねじ部５２がねじ孔４３０にねじ込まれるにつれて、ねじ頭５１が下方に移動する。ねじ５は、第１固定部３０の第１面３１０が鍔部２１の上面２１１に接し、かつ第２固定部４０の第２面４１０が鍔部２１の下面２１２する位置までねじ込まれる。鍔部２１は、第１固定部３０と第２固定部４０とに挟まれた状態で取付部６０に取り付けられる。
【００７８】
２つの突出部７２０はそれぞれ、鍔部２１の左右方向の外向きの側面よりも外側に配置される。より詳細には、２つの突出部７２０はそれぞれ、左右方向から見て鍔部２１と重なるように支持部材７０に設けられている。そのため、２つの突出部７２０は、器具本体２が支持部材７０に対して左右方向にずれることを抑制している。
【００７９】
次に、ねじ５が緩んだ状態の取付部６０と器具本体２とについて図１１を参照して説明する。
【００８０】
ねじ５が緩むと、ねじ頭５１と第１固定部３０の上面とが離れる。ねじ頭５１と第１固定部３０の上面との間隔Ｄ２は、ねじ５が緩むにつれて大きくなる。第１固定部３０及び鍔部２１は、重力により下方向に力を受けているので、第２固定部４０の第２面４１０に対する位置は変化しない。そのため、ねじ５が緩んだ状態であっても、鍔部２１は第２固定部４０に下側から支持されているので、鍔部２１と第２固定部４０とが接した状態が維持される。そのため、ねじ５が緩んでも、器具本体２が取付部６０から外れることが抑制される。
【００８１】
また、ねじ５のねじ部５２がねじ孔４３０にねじ込まれた状態でねじ５が緩んでも、第１固定部３０は鍔部２１の上面２１１に接しているので、２つの突出部７２０が器具本体２の支持部材７０に対する左右方向への移動を抑制する。そのため、ねじ５のねじ部５２がねじ孔４３０にねじ込まれた状態でねじ５が緩んでも、器具本体２が左右方向に移動して取付部６０から外れることが抑制される。
【００８２】
器具本体２が支持部材７０に対して左右方向にずれた際に、鍔部２１の左右方向の外側の側面に一方の突出部７２０が接する。２つの突出部７２０は、器具本体２が左右方向にずれて支持部材７０から外れることを抑制する。
【００８３】
以上説明したように、本実施形態の照明器具１０において、第１固定部３０は、第１面３１０を有する板状の支持部材７０に設けられ、第２固定部４０は、取付部６０に設けられる。
【００８４】
上記構成によれば、器具本体２の鍔部２１の下方に配置される第２固定部４０が、取付部６０に設けられているので、ねじ５が緩んでも器具本体２が第２固定部４０に支持される。そのため、ねじ５が緩んだ場合でも器具本体２が取付部６０から外れることが抑制される。言い換えると、器具本体２を取付部６０に取り付けるねじ５が緩んでも器具本体２が取付部６０から外れにくい照明器具１０を実現できる。
【００８５】
本実施形態の照明器具１０において、支持部材７０は、鍔部２１の張り出す方向と下方向とに交差する方向（本実施形態では左右方向）の寸法Ｗ７０が鍔部２１よりも大きくなるように形成される。支持部材７０において、鍔部２１の張り出す方向と下方向とに交差する方向（本実施形態では左右方向）の両端には、それぞれ下方向に張り出す突出部７２０が設けられたことが好ましい。
【００８６】
上記構成によれば、鍔部２１と第２固定部４０とが接した状態で、２つの突出部７２０が器具本体２の左右方向（鍔部２１の張り出す方向と下方向とに交差する方向）への移動を抑制する。そのため、器具本体２が左右方向（鍔部２１の張り出す方向と下方向とに交差する方向）に移動して取付部６０から外れることが抑制される。
【００８７】
なお、支持部材７０の材料は一例であり、金属材料の他にも樹脂材料やセラミック材料などでもよい。
【００８８】
本実施形態の２つの曲部７１１及び曲部７１２は、鍔部２１における前方向の側面の一部を覆う。一例として、取付部６０の表面の色と、鍔部２１の色とが異なる場合であっても、支持部材７０の前方向から見て２つの曲部７１１及び曲部７１２によって鍔部２１が覆われるので、第１固定部３０と鍔部２１との継ぎ目が目立たず、見た目をよくすることができる。また、２つの曲部７１２は、第２固定部４０の下面から下方向に突き出たねじ部５２の前方を覆うので、前方から見て第２固定部４０の下面から突き出たねじ部５２が目立たず、見た目をよくすることができる。
【００８９】
突出部７２０は、第１固定部３０の両端部分を下方向に折り曲げて形成されることに限定されず、他の部材を支持部材７０に溶接するなどして設けてもよい。
【００９０】
２つの突出部７２０における左右方向の内向きの側面と、鍔部２１における左右方向の外向きの側面との間に隙間が空いていることに限定されず、突出部７２０と鍔部２１とが接していてもよい。
【００９１】
突出部７２０は、第１固定部３０に設けることに限定されず、２つの曲部７１１に設けられてもよい。一例として、突出部７２０は、２つの曲部７１１における左右方向の外側の端に設けられてもよい。
【００９２】
曲部７１１と曲部７１２とは必須の構成ではなく、それぞれ省略可能である。
【００９３】
なお、一例として、取付部６０における張出部６４の後側の側面にも、上記した天板６２１と、側板６２２と、第２固定部４０とが設けられていてもよいし、器具本体２の後方の鍔部２１が第２固定部４０と支持部材７０とに挟まれていてもよい。
【符号の説明】
【００９４】
１，１０  照明器具
１１  支柱
２  器具本体
２１，２１ａ，２１ｂ  鍔部
２１１  上面
２１２  下面
３，３ａ，３ｂ，３０  第１固定部
３１，３１０  第１面
３３，３３０  貫通孔
４，４ａ，４ｂ，４０  第２固定部
４１，４１０  第２面
４３，４３０  ねじ孔
５  ねじ
５１  ねじ頭
５２  ねじ部
６，６０  取付部
７，７ａ，７ｂ，７０  支持部材
７２，７２０  突出部
１００  光源
Ｗ７，Ｗ７０  寸法（鍔部の張り出す方向と下方向とに交差する方向の寸法）
【図１】
2017073278.tif 000003
【図２】
2017073278.tif 000004
【図３】
2017073278.tif 000005
【図４】
2017073278.tif 000006
【図５】
2017073278.tif 000007
【図６】
2017073278.tif 000008
【図７】
2017073278.tif 000009
【図８】
2017073278.tif 000010
【図９】
2017073278.tif 000011
【図１０】
2017073278.tif 000012
【図１１】
2017073278.tif 000013